(57)【要約】【課題】安定した電力が得られない状況において緊急を要さない患者の検査オーダの検査予約を行う場合、その検査オーダで使用する電力が供給不足にはならずに、その検査予約を受け付けることができる検査予約装置および検査予約方法を提供する。【解決手段】本実施形態に係る検査予約装置２００は、非緊急検査オーダを取得する検査オーダ取得部２１０と、取得した非緊急検査オーダを処理する際に予想される消費電力を算出する消費電力算出部２２０と、所定の制限を受けた場合の提供可能な使用可能電力の情報を格納する電力情報格納部２７０と、算出された消費電力と、使用可能電力の情報が示す電力とを比較して、その消費電力に対応する非緊急検査オーダを受け付けるか否かを判定する検査予約判定部２３０と、判定結果に基づいて、当該非緊急検査オーダを受け付けないと判定した場合には、その旨を前記病院情報システムに通知する通知部２４０と、を備える。【選択図】  図３
2014048908.tif 000002
【特許請求の範囲】
【請求項１】
病院情報システムからの検査オーダの受け付けを判定する検査予約装置であって、
非緊急患者を被検体として処理する処理項目と検査日時情報とが対応づけられた非緊急検査オーダを取得する検査オーダ取得部と、
前記取得した非緊急検査オーダを処理する際に予想される消費電力を算出する消費電力算出部と、
供給される電力について、所定の制限を受けた場合の提供可能な使用可能電力の情報を格納する電力情報格納部と、
前記算出された消費電力と、前記格納された使用可能電力の情報が示す電力とを比較して、当該消費電力に対応する非緊急検査オーダを受け付けるか否かを判定する検査予約判定部と、
前記判定結果に基づいて、当該非緊急検査オーダを受け付けないと判定した場合には、その旨を前記病院情報システムに通知する通知部と、
を備えた検査予約装置。
【請求項２】
前記検査予約判定部は、
前記算出された消費電力が前記格納された使用可能電力の情報が示す電力より小さい場合には、当該算出された消費電力に対応する非緊急検査オーダを受け付けて、当該算出された消費電力が前記格納された使用可能電力の情報が示す電力以上の場合には、当該非緊急検査オーダを受け付けないと判定する
請求項１に記載の検査予約装置。
【請求項３】
前記電力情報格納部は、
前記非緊急患者の検査に使用する電力と緊急患者に使用する電力との割合を、過去の処理傾向に基づいて設定し、設定した前記割合から、前記緊急患者に対して提供可能な使用可能電力の割合を変更し、前記非緊急患者に対して提供可能な使用可能電力の情報を格納する
請求項１または２に記載の検査予約装置。
【請求項４】
前記通知手段は、
前記病院情報システムから前記検査オーダを入力する入力装置の表示部に、前記非緊急検査オーダを処理する際に予想される処理項目ごとの消費電力を表示させる
請求項１から３のいずれか１項に記載の検査予約装置。
【請求項５】
前記使用可能電力は、
外部から供給される電力が、計画停電によって所定の時間帯毎に異なる値に設定される制限を受ける
請求項１から４のいずれか１項に記載の検査予約装置。
【請求項６】
前記使用可能電力は、
病院に設けられた発電機によって前記供給される電力が制限を受ける
請求項１から４のいずれか１項に記載の検査予約装置。
【請求項７】
病院情報システムから検査オーダを管理する検査予約管理装置における検査予約方法であって、
非緊急患者を被検体として処理する処理項目と検査日時情報とが対応づけられた非緊急検査オーダを取得する検査オーダ取得ステップと、
前記取得した非緊急検査オーダを処理する際に予想される消費電力を算出する消費電力算出ステップと、
電力の供給について、所定の制限を受けた場合の提供可能な使用可能電力の情報を格納する電力情報格納ステップと、
前記算出された消費電力と、前記格納された使用可能電力の情報が示す電力とを比較して、当該消費電力に対応する非緊急検査オーダを受け付けるか否かを判定する検査予約判定ステップと、
前記判定結果に基づいて、当該非緊急検査オーダを受け付けないと判定した場合には、その旨を前記病院情報システムに通知する通知ステップと、
を含む検査予約方法。
【発明の詳細な説明】
【技術分野】
【０００１】
本発明の実施形態は、検査予約装置およびその検査予約方法に関する。
【背景技術】
【０００２】
現在、多くの病院において、医療機関内の情報を管理する病院情報システム（ＨＩＳ：Hospital Information System）、放射線部門の情報を管理する放射線部門情報システム（ＲＩＳ：Radiology Information System）および医用画像情報システム（ＰＡＣＳ：Picture Archiving and Communication System）などのシステムが導入されている。
【０００３】
病院情報システムでは、例えば、医事会計システム、看護部門システム、薬剤部門システムおよび検査部門システムなどを有しており、患者ごとに、氏名、年齢および性別などの個人情報、診療の予約、処方内容、診療履歴および検査オーダの情報などを管理するようになっている。
【０００４】
また、放射線部門情報システムでは、放射線科において、患者ごとに氏名、年齢および性別などの個人情報、診療履歴、検査オーダの情報などを管理するようになっている。具体的には、病院情報システムから検査オーダを取得して、放射線部門における受付業務、検査支援業務などを行っており、患者を撮影するときの情報や、患者の状態に応じて放射線撮影の検査パターン（撮影種別、検査部位など）の情報を管理している。
【０００５】
また、医用画像情報システムでは、医用画像撮影装置で撮影された画像データを取得して、その画像データを管理するようになっており、その画像データからレポートを作成して担当医に通知する画像管理システムを構成するようになっている。
【０００６】
ここで、病院情報システム、放射線部門情報システムおよび医用画像情報システムなどを備えた病院では、通常は、電力が安定して供給されており、その安定した電力の供給が得られることを前提に、各システムが稼動している（特許文献１参照）。
【先行技術文献】
【特許文献】
【０００７】
【特許文献１】特開２００９−１９５３９８号公報
【発明の概要】
【発明が解決しようとする課題】
【０００８】
ところで、予想し得ない災害の発生や電力会社からの電力が安定して供給されない状況になった場合、病院に備え付けられた無停電電源装置（ＵＰＳ：Uninterruptible Power Supply）や発電機などを用いて、一定時間は電力が確保できるようになっている。
【０００９】
しかしながら、安定した電力が得られない状況において、例えば、緊急を要さない患者の診察や画像撮影により電力を消費してしまうと、緊急を要する患者が来院したときには、電力不足のために診察することができない、という事態に陥る可能性がある。このため、緊急を要する患者のための電力を確保しつつ、緊急を要さない患者の検査オーダに使用する電力を効率よく確保する必要があった。
【００１０】
すなわち、安定した電力が得られない状況において緊急を要さない患者の検査オーダの検査予約を行う場合、その検査オーダで使用する電力が供給不足にはならずに、その検査予約を受け付ける必要があった。
【課題を解決するための手段】
【００１１】
本実施形態によれば、検査予約装置は、病院情報システムからの検査オーダの受け付けを判定する検査予約装置であって、非緊急患者を被検体として処理する処理項目と検査日時情報とが対応づけられた非緊急検査オーダを取得する検査オーダ取得部と、取得した非緊急検査オーダを処理する際に予想される消費電力を算出する消費電力算出部と、供給される電力について、所定の制限を受けた場合の提供可能な使用可能電力の情報を格納する電力情報格納部と、算出された消費電力と、格納された使用可能電力の情報が示す電力とを比較して、消費電力に対応する非緊急検査オーダを受け付けるか否かを判定する検査予約判定部と、判定結果に基づいて、非緊急検査オーダを受け付けないと判定した場合には、その旨を病院情報システムに通知する通知部と、を備える。
【図面の簡単な説明】
【００１２】
【図１】本実施形態に係る病院内情報管理システムの構成を示した概略構成図。
【図２】本実施形態に係る病院内情報管理システムの病院情報システムが検査予約装置に検査オーダを送付して、検査予約装置がその検査オーダを確定させるシーケンス図。
【図３】本実施形態に係る病院内情報管理システムにおける検査予約装置の構成を示した機能ブロック図。
【図４】本実施形態に係る検査オーダデータベースに格納されている検査オーダ一覧の一例を示した説明図。
【図５】本実施形態に係る検査オーダデータベースに格納されている検査装置一覧の一例を示した説明図。
【図６】本実施形態に係る消費電力データベースに格納されている消費電力算出テーブルの一例を示した説明図。
【図７】本実施形態に係る消費電力データベースに格納されている予想消費電力リストの一例を示した説明図。
【図８】本実施形態に係る電力情報格納部に格納されている使用可能消費電力リストの一例を示した説明図。
【図９】本実施形態に係る電力情報格納部に格納されている電力割り当てテーブルの一例を示した説明図。
【図１０】本実施形態に係る検査予約装置のハードウエアの構成を示したハードウエア構成図。
【図１１】本実施形態に係る検査予約装置が、病院情報システムによって仮発行された検査オーダを確定する検査オーダ確定処理の動作を示したフローチャート。
【発明を実施するための形態】
【００１３】
以下、本実施形態に係る病院内情報管理システム８００について、添付図面を参照して説明する。
【００１４】
（全体構成）
図１は、本実施形態に係る病院内情報管理システム８００の構成を示した概略構成図である。
【００１５】
図１に示すように、病院内情報管理システム８００は、病院情報システム１００、検査予約装置２００、医用画像撮影装置３００、医用画像受信装置４００、医用画像保管装置５００、医用画像表示装置６００、院内ネットワーク７００などを備えて構成されている。
【００１６】
病院情報システム１００は、診察を担当する担当医により患者の患部を撮影するオーダや患者の患部に処置を施すオーダが入力されると、そのオーダを検査オーダとして受け付ける。そして、病院情報システム１００は、その検査オーダを検査予約装置２００に送信（仮発行ともいう。）するようになっている。
【００１７】
ここで、検査オーダは、医師によって発行される検査や処置ごとの指示（命令）である。なお、この検査オーダは、患者一人に対して複数の患部の撮影や複数の患部の処置がある場合には、複数の検査オーダとなることもある。また、検査オーダの具体的な内容には、担当医によって入力された検査日時に、担当医に指定された検査、処置、投薬治療などの処理項目や、検査に使用する装置の指定などが含まれる。
【００１８】
検査予約装置２００は、病院情報システム１００によって仮発行された検査オーダを受信するようになっている。ここで、本実施形態において、検査予約装置２００は、緊急を要する患者（これを急患ともいう。）を対象とするものではなく、緊急を要する患者でない患者（これを非緊急患者ともいう。）の検査オーダを受信するようになっている。検査予約装置２００は、受信した非緊急患者の検査オーダに従って検査した場合、どのくらいの電力を要するか予想消費電力を算出する。また、検査予約装置２００は、検査予約日に電力の供給が制限を受ける場合には、その非緊急患者の検査オーダの予想消費電力に相当する電力が供給されるか否かを判定するようになっている。なお、検査予約装置２００の詳細については、後述する。
【００１９】
医用画像撮影装置３００は、被検体を撮影するための撮影装置であり、モダリティとも呼ばれる。医用画像撮影装置３００は、Ｘ線ＣＴ（Computed Tomography）装置、ＭＲＩ（Magnetic Resonance Imaging）装置（磁気共鳴診断装置）、超音波診断装置、核医学診断装置などが該当する。
【００２０】
ここで、Ｘ線ＣＴ装置は、放射線などを利用して物体を走査し、コンピュータを用いて処理する撮影装置である。ＭＲＩ装置は、磁場と電波を用いて被検体の体内などの画像を撮影する装置である。超音波診断装置は、超音波を被検体に当てて、その反響を映像化する画像診断装置である。核医学診断装置は、被検体に投入された特定の病巣に集積する試薬を、放射性同位体（ラジオアイソトープ：radioisotope）で標識し、その試薬から放射されるγ線をシンチレーションカメラなどの検出器により検出して病巣を含む人体の断層像を抽出する画像診断装置である。医用画像撮影装置３００は、上述したいずれの撮影装置であっても適用することができる。
【００２１】
また、図１では、医用画像撮影装置３００は、複数の医用画像撮影装置３１０、３２０などを有しており、それぞれ符号により識別することとする。なお、特に撮影装置を特定する必要が無い場合には、総称として単に医用画像撮影装置３００と記載することとする。
【００２２】
医用画像受信装置４００は、医用画像撮影装置３００によって撮影された画像データ（Raw Data）を、院内ネットワーク７００を介して受信するワークステーションである。医用画像受信装置４００は、受信した画像データを表示部に表示したり、院内ネットワーク７００を介して、医用画像保管装置５００に送信することができるようになっている。また、医用画像受信装置４００は、受信した画像データを加工したり、表示方法を変更することもできるようになっている。
【００２３】
図１では、医用画像受信装置４００は、複数の医用画像受信装置４１０、４２０などを有しており、それぞれ符号により識別することとする。なお、特に受信装置を特定する必要が無い場合には、総称として単に医用画像受信装置４００と記載することとする。
【００２４】
医用画像保管装置５００は、医用画像受信装置４００によって送信された画像データを、院内ネットワーク７００を介して受信する画像サーバである。医用画像保管装置５００は、受信した画像データを保管・管理しており、院内ネットワーク７００を介して、医用画像表示装置６００に送信することができるようになっている。
【００２５】
図１では、医用画像保管装置５００は、複数の医用画像保管装置５１０、５２０などを有しており、それぞれ符号により識別することとする。なお、特に保管装置を特定する必要が無い場合には、総称として単に医用画像保管装置５００と記載することとする。
【００２６】
医用画像表示装置６００は、医用画像保管装置５００によって送信された画像データを、院内ネットワーク７００を介して受信して表示する表示装置である。医用画像表示装置６００は、受信した画像データを表示部に表示することにより、担当医に閲覧させたり、読影医に読影させることができるようになっている。
【００２７】
図１では、医用画像表示装置６００は、複数の医用画像表示装置６１０、６２０などを有しており、それぞれ符号により識別することとする。なお、特に表示装置を特定する必要が無い場合には、総称として単に医用画像表示装置６００と記載することとする。
【００２８】
なお、本実施形態に係る病院内情報管理システム８００では、病院情報システム１００は、いわゆるＨＩＳ（Hospital Information System）を構成している。また、検査予約装置２００は、ＨＩＳや放射線部門情報システム（ＲＩＳ：Radiology Information System）の予約を管理する管理装置の一部を構成している。また、医用画像受信装置４００と、医用画像保管装置５００と、医用画像表示装置６００は、医用画像情報システム（ＰＡＣＳ：Picture Archiving and Communication System）を構成している。
【００２９】
また、本実施形態に係る病院内情報管理システム８００では、病院情報システム１００は、急患の検査オーダを必ず受け入れるようになっている。そこで、本実施形態では、急患ではない非緊急患者の検査予約や診察予約を担当医が検査予約をする場合、その予約日に電力の供給が制限を受ける場合には、検査予約装置２００が、その非緊急患者の検査オーダを実施するだけの電力が供給されているか否かを判定する構成を取っている。
【００３０】
（概略動作）
次に、本実施形態に係る病院内情報管理システム８００の病院情報システム１００と、検査予約装置２００の概略動作について、説明する。
【００３１】
図２は、本実施形態に係る病院内情報管理システム８００の病院情報システム１００が検査予約装置２００に検査オーダを送付して（仮発行）、検査予約装置２００がその検査オーダを確定させるシーケンス図である。
【００３２】
まず、担当医が病院情報システム１００の入力端末を用いて、非緊急患者の検査予約を入力することにより、病院情報システム１００は、入力された検査日時の検査オーダを発行（仮発行）し、その検査オーダを検査予約装置２００に送信する（ステップＳＱ０１）。
【００３３】
次に、検査予約装置２００は、仮発行された検査オーダを受信すると、その検査オーダを記憶して、その検査予約日にその検査オーダを実施するだけの電力の供給があるか否かを判定する。検査予約装置２００は、その検査オーダを実施するだけの電力の供給を備えている場合には、病院情報システム１００に検査オーダの確定を通知し、一方、電力の供給が不足している場合には、病院情報システム１００に警告を通知する（ステップＳＱ０３）。
【００３４】
病院情報システム１００は、電力の供給が不足している旨の警告の通知を受けた場合、その検査オーダに要する予想消費電力を表示部に表示して、担当医に検査オーダの再検討を促す。この場合、担当医は、再検討として検査オーダの内容のみならず使用する装置の変更や検査日程などの見直しを行う。そして、病院情報システム１００は、担当医の再検討によって変更された検査オーダを、検査予約装置２００に再送信する（ステップＳＱ０５）。
【００３５】
検査予約装置２００は、変更された検査オーダを受信して、変更後の検査オーダによりその検査オーダを確定できる場合には、病院情報システム１００に検査オーダの確定を通知する（ステップＳＱ０７）。また、検査予約装置２００は、変更後の検査オーダによりその検査オーダを確定できない場合には、ステップＳＱ０３と同様な通知を担当医に再度通知をしてもよく、また、変更後の検査オーダを確定できないことを理由に、終了するようにしてもよい。
【００３６】
（検査予約装置２００の構成）
次に、本実施形態に係る病院内情報管理システム８００の検査予約装置２００の構成について説明する。
【００３７】
図３は、本実施形態に係る病院内情報管理システム８００における検査予約装置２００の構成を示した機能ブロック図である。
【００３８】
図３に示すように、検査予約装置２００は、検査オーダ取得部２１０、消費電力算出部２２０、検査予約判定部２３０、通知部２４０、検査オーダデータベース２５０、消費電力データベース２６０、電力情報格納部２７０を備えて構成されている。
【００３９】
検査オーダ取得部２１０は、非緊急患者（上述した緊急ではない患者のことである。）を被検体として処理する処理項目と検査日時情報とが対応づけられた検査オーダ（非緊急検査オーダ）を取得するようになっている。この非緊急検査オーダは、病院情報システム１００によって仮発行された検査オーダのことである。検査オーダ取得部２１０は、取得した非緊急検査オーダを、検査オーダデータベース２５０に格納するとともに、その検査オーダを消費電力算出部２２０に送出するようになっている。
【００４０】
また、急患の検査オーダは、担当医により病院情報システム１００に入力された段階で、必ず検査オーダが確定されるようになっている。そのため、本実施形態に係る検査予約装置２００の検査オーダ取得部２１０では、急患の検査オーダを取得の対象外としており、非緊急患者の処理項目と検査日時情報とが対応づけられた検査オーダ（非緊急検査オーダ）を取得の対象としている。
【００４１】
消費電力算出部２２０は、取得した非緊急検査オーダを処理する際に、予想される消費電力（予想消費電力）を算出するようになっている。具体的には、消費電力算出部２２０は、後述する消費電力データベース２６０に格納されている消費電力算出テーブル２６１を参照し、仮発行された検査オーダを実施する際、どのくらいの消費電力が予想されるかを検査オーダ単位で算出する。例えば、消費電力算出部２２０は、使用する各装置の消費電力と使用時間に基づいて、各装置を使用した場合の装置ごとの予想消費電力を算出し、使用する各装置の予想消費電力の総和により、所定の時間帯の予想消費電力を算出するようになっている。
【００４２】
検査予約判定部２３０は、消費電力算出部２２０で算出された予想消費電力と、検査オーダに記載された検査日時の使用可能な電力の情報が示す電力とを比較して、その検査オーダを実施することができるだけの電力の供給があるか否かを判定するようになっている。消費電力算出部２２０は、その検査オーダを実施することができるだけの電力の供給がある場合には、算出された予想消費電力に対応する検査オーダを受け付ける。
【００４３】
ここで、検査日時の使用可能な電力の情報は、後述する電力情報格納部２７０に格納されている。また、この使用可能な電力の情報は、病院内情報管理システム８００における非緊急患者の検査オーダに対して提供可能な使用可能電力の情報を示している。そのため、検査予約判定部２３０は、この使用可能な電力の情報に示される電力が消費電力算出部２２０で算出された予想消費電力を上回る場合に、仮発行された検査オーダを確定させるようになっている。
【００４４】
すなわち、検査予約判定部２３０は、算出された予想消費電力が、電力情報格納部２７０に格納された使用可能電力の情報が示す電力より小さい場合には、算出された消費電力に対応する非緊急検査オーダを確定させ、一方、その算出された予想消費電力が、その使用可能電力の情報が示す電力以上の場合には、その非緊急検査オーダを実施することができない（確定することができない）、という判定を行うようになっている。
【００４５】
通知部２４０は、検査予約判定部２３０の判定結果に基づいて、その非緊急検査オーダを確定することができないと判定した場合、その旨を病院情報システム１００に通知するようになっている。この場合、通知部２４０は、非緊急検査オーダを処理する際に予想される処理項目ごとの予想消費電力を、病院情報システム１００の表示部に表示させるように通知する。また、通知部２４０は、検査予約判定部２３０の判定結果に基づいて、その非緊急検査オーダを確定することができる場合は、その旨を病院情報システム１００に通知するようになっている。
【００４６】
検査オーダデータベース２５０は、各検査オーダと、検査オーダ一覧２５１を格納している。すなわち、病院情報システム１００によって仮発行された検査オーダを検査オーダ取得部２１０が受信すると、検査オーダデータベース２５０は、その検査オーダを格納するとともに、検査オーダ一覧２５１に検査種別や使用する装置などを記録する。次に、検査オーダ一覧２５１について説明する。
【００４７】
図４は、本実施形態に係る検査オーダデータベース２５０に格納されている検査オーダ一覧２５１の一例を示した説明図である。
【００４８】
図４に示すように、検査オーダ一覧２５１には、「検査オーダ」、「検査オーダ種別」、「使用する装置」および「備考」の欄が設けられている。「検査オーダ」の欄には、「１０００」と、「１００１」の検査オーダが記録されている。
【００４９】
具体的には、「１０００」の検査オーダは、検査オーダの種別が「通常」であり、使用する装置は、「医用画像撮影装置３１０」、「医用画像受信装置４２０」、「医用画像保管装置５１０」および「医用画像表示装置６３０」である。また、「１００１」の検査オーダは、検査オーダの種別が「通常」であり、使用する装置は、「医用画像撮影装置３４０」、「医用画像受信装置４１０」、「医用画像保管装置５２０」および「医用画像表示装置６１０」である。なお、備考には特別すべき記載はないものとする。
【００５０】
本実施形態では、検査オーダ種別において、非緊急患者の検査オーダを示す「通常」の検査オーダが、記録の対象として検査オーダ一覧２５１に記録されている。しかしながら、緊急患者の検査オーダを示す「緊急」の検査オーダも、記録の対象として検査オーダ一覧２５１に記録されるようにしてもよい。次に、検査装置一覧２５２について説明する。
【００５１】
図５は、本実施形態に係る検査オーダデータベース２５０に格納されている検査装置一覧２５２の一例を示した説明図である。
【００５２】
図５に示すように、検査装置一覧２５２には、「装置」、「使用時間」、「検査オーダ番号」および「備考」の欄が設けられている。「装置」の欄には、「医用画像撮影装置３１０」と、「医用画像受信装置４２０」と、「医用画像保管装置５１０」と、「医用画像表示装置６３０」と、「医用画像撮影装置３４０」と、「医用画像受信装置４１０」と、「医用画像保管装置５２０」と、「医用画像表示装置６１０」とが記載されている。
【００５３】
具体的には、医用画像撮影装置３１０は、使用時間は「Ｔ１」であり、検査オーダは「１０００」である。医用画像受信装置４２０は、使用時間は「Ｔ２」であり、検査オーダは「１０００」である。医用画像保管装置５１０は、使用時間は「Ｔ３」であり、検査オーダは「１０００」である。医用画像表示装置６３０は、使用時間は「Ｔ４」であり、検査オーダは「１０００」である。医用画像撮影装置３４０は、使用時間は「Ｔ５」であり、検査オーダは「１００１」である。医用画像受信装置４１０は、使用時間は「Ｔ６」であり、検査オーダは「１００１」である。医用画像保管装置５２０は、使用時間は「Ｔ７」であり、検査オーダは「１００１」である。医用画像表示装置６１０は、使用時間は「Ｔ８」であり、検査オーダは「１００１」である。
【００５４】
このように、検査装置一覧２５２には、検査オーダ取得部２１０で受信した検査オーダによる使用予定の装置の一覧が記載されている。なお、備考には、特筆すべき記載はないものとする。次に、消費電力算出テーブル２６１について説明する。
【００５５】
図６は、本実施形態に係る消費電力データベース２６０に格納されている消費電力算出テーブル２６１の一例を示した説明図である。
【００５６】
図６に示すように、消費電力算出テーブル２６１には、「装置」および「消費電力［Ｗ］」の欄が設けられている。「装置」の欄には、病院内情報管理システム８００において使用可能な装置名が記載され、「消費電力［Ｗ］」の欄には、その装置の消費電力が記載されている。
【００５７】
具体的には、「医用画像撮影装置３１０」の消費電力は、「Ｗ３１０［Ｗ］」である。「医用画像撮影装置３２０」の消費電力は、「Ｗ３２０［Ｗ］」である。「医用画像撮影装置３３０」の消費電力は、「Ｗ３３０［Ｗ］」である。「医用画像撮影装置３４０」の消費電力は、「Ｗ３４０［Ｗ］」である。
【００５８】
また、「医用画像受信装置４１０」の消費電力は、「Ｗ４１０［Ｗ］」である。「医用画像受信装置４２０」の消費電力は、「Ｗ４２０［Ｗ］」である。「医用画像受信装置４３０」の消費電力は、「Ｗ４３０［Ｗ］」である。「医用画像受信装置４４０」の消費電力は、「Ｗ４４０［Ｗ］」である。
【００５９】
また、「医用画像保管装置５１０」の消費電力は、「Ｗ５１０［Ｗ］」である。「医用画像保管装置５２０」の消費電力は、「Ｗ５２０［Ｗ］」である。「医用画像保管装置５３０」の消費電力は、「Ｗ５３０［Ｗ］」である。「医用画像保管装置５４０」の消費電力は、「Ｗ５４０［Ｗ］」である。
【００６０】
また、「医用画像表示装置６１０」の消費電力は、「Ｗ６１０［Ｗ］」である。「医用画像表示装置６２０」の消費電力は、「Ｗ６２０［Ｗ］」である。「医用画像表示装置６３０」の消費電力は、「Ｗ６３０［Ｗ］」である。「医用画像表示装置６４０」の消費電力は、「Ｗ６４０［Ｗ］」である。次に、予想消費電力リスト２６２について説明する。
【００６１】
図７は、本実施形態に係る消費電力データベース２６０に格納されている予想消費電力リスト２６２の一例を示した説明図である。
【００６２】
図７に示すように、予想消費電力リスト２６２には、「検査オーダ番号」と、「予想消費電力［Ｗ］」の欄が設けられている。検査オーダ番号の欄には、「１０００」と、「１００１」が記載されている。「１０００」の検査オーダは、予想消費電力が「Ｗ１０００」と記載されている。「１００１」の検査オーダ番号は、予想消費電力が「Ｗ１００１」と記載されている。
【００６３】
すなわち、図７では、「１０００」の検査オーダを実施すると、この検査オーダによって使用される予想消費電力は、「Ｗ１０００」であることを意味している。また、「１００１」の検査オーダを実施すると、この検査オーダによって使用される予想消費電力は、「Ｗ１００１」であることを意味している。
【００６４】
なお、予想消費電力の算出には、図５に示した検査装置一覧２５２の装置の使用時間と、図６に示した消費電力算出テーブル２６１の消費電力[Ｗ]に基づき、検査日時、時間帯ごとの予想消費電力を算出する。また、図５に示した検査装置一覧２５２の装置の使用時間は、被検体の体型に応じてその検査に要する時間があらかじめ標準値が設定されており、検査の部位や種別に応じて担当医が任意に変更することができるようになっている。次に、使用可能消費電力リスト２７１について説明する。
【００６５】
図８は、本実施形態に係る電力情報格納部２７０に格納されている使用可能消費電力リスト２７１の一例を示した説明図である。
【００６６】
図８に示すように、使用可能消費電力リスト２７１には、「日付」、「時間帯」、「区分」、「使用可能電力」の欄が設けられている。また、日付の欄には、「２０１２．３．ＡＡ」と、「２０１２．３．ＢＢ」が記載されている。
【００６７】
具体的には、「２０１２．３．ＡＡ」の検査日には、「９：００〜１２：００」の間、「通常」の区分により、使用可能電力が「Ｗ１」に制限されている。また、「２０１２．３．ＢＢ」の検査日には、「１４：００〜１７：００」の間、「計画停電」の区分により、使用可能電力が「Ｗ２」に制限されている。
【００６８】
ここで、区分の欄では、電力の供給の制限がその電力の供給元によるものか否かを区別している。具体的には、区分が「通常」の場合には、電力会社などの外部からの電力の供給は通常であるが、病院の自発的な節電や病院に備えられた発電機などによって使用可能な電力が制限される状況を意味している。また、区分が「計画停電」の場合には、電力会社が複数の対象地域を定め、順次電力の供給を一時的に停止または削減したことにより、病院に供給される電力が制限される状況を意味している。次に、電力割り当てテーブル２７２について説明する。
【００６９】
図９は、本実施形態に係る電力情報格納部２７０に格納されている電力割り当てテーブル２７２の一例を示した説明図である。
【００７０】
図９に示すように、電力割り当てテーブル２７２には、「日付」、「時間帯」、「急患割合」の欄が設けられている。日付の欄には、「２０１２．３．ＡＡ」と、「２０１２．３．ＢＢ」が記載されている。
【００７１】
「２０１２．３．ＡＡ」の検査日では、「９：００〜１２：００」の時間帯は、急患用の供給電力が、「２０％」に設定されている。これは、病院内情報管理システム８００に提供可能な電力のうち「２０％」の電力が、急患用の電力に割り当てられていることを意味している。したがって、残りの８０％の電力が、非緊急患者用の使用可能電力として供給されることを意味している。
【００７２】
また、「２０１２．３．ＢＢ」の検査日では、「１４：００〜１７：００」の時間帯は、急患用の供給電力が、「３０％」に設定されている。これは、病院内情報管理システム８００に提供可能な電力のうち「３０％」の電力が、急患用の電力に割り当てられていることを意味している。したがって、残りの７０％の電力が、非緊急患者用の使用可能電力として供給されることを意味している。
【００７３】
ここで、この急患割合は、例えば、土曜日、日曜日もしくは祝日などの曜日や、午後、深夜などの時間帯または当直担当日や救急指定病院などのため、急患用に割り当てられる電力の比率を変動させることができる。
【００７４】
すなわち、この急患割合は、過去の処理傾向を勘案して、午後や深夜の時間帯では急患割合を相対的に高く設定したり、平日の午前中および祝祭日の午前中の時間帯では急患割合を相対的に低く設定することにより、病院内情報管理システム８００の非緊急患者の検査オーダのために必要となる使用可能電力を、適切に割り当てることができる。
【００７５】
次に、本実施形態に係る検査予約装置２００を構成するハードウエアの構成について説明する。
【００７６】
図１０は、本実施形態に係る検査予約装置２００のハードウエアの構成を示したハードウエア構成図である。
【００７７】
図１０に示すように、検査予約装置２００は、ＣＰＵ（Central Processing Unit）２８１、ＲＯＭ（Read Only Memory）２８２、ＲＡＭ（Random Access Memory）２８３、ネットワークインターフェース部２８４、操作入力部２８５、表示部２８６、記憶部２８７および内部バス２８８を備えて構成されている。
【００７８】
ＣＰＵ２８１は、ＲＯＭ２８２に格納されている各種プログラムをＲＡＭ２８３にロードして、そのプログラムを展開することにより、各種プログラムの機能を実現することできる。
【００７９】
ＲＡＭ２８３は、ワークエリア（作業用メモリ）として利用されるようになっている。ＲＯＭ２８２は、各種プログラムを格納するようになっている。ＲＯＭ２８２に格納されている各種プログラムには、図３に示した検査予約装置２００の各機能を実現するためのプログラムが含まれている。
【００８０】
ネットワークインターフェース部２８４は、院内ネットワーク７００を介して、病院情報システム１００から仮発行された検査オーダを受信したり、検査オーダの確定を病院情報システム１００に通知するためのインターフェース部である。
【００８１】
操作入力部２８５は、病院情報システム１００から送信された検査オーダを変更したり、使用可能消費電力リスト２７１（図８）に記録されている使用可能電力を入力するための入力装置である。この操作入力部２８５は、キーボードやマウスなどにより構成されている。
【００８２】
表示部２８６は、検査オーダを表示したり、稼動している装置の消費電力の状況を表示するための表示装置である。この表示部は、液晶ディスプレイやモニタなどにより構成されている。
【００８３】
記憶部２８７は、記憶メモリを構成する記憶部であり、ＲＡＭやハードディスクなどにより構成されている。記憶部２８７は、例えば、検査オーダデータベース２５０、消費電力データベース２６０、電力情報格納部２７０などを構成するようになっている。
【００８４】
（検査オーダ確定処理）
次に、本実施形態に係る病院内情報管理システム８００における検査予約装置２００の動作について説明する。
【００８５】
図１１は、本実施形態に係る検査予約装置２００が、病院情報システム１００によって仮発行された検査オーダを確定する検査オーダ確定処理の動作を示したフローチャートである。図１１において、ＳＴに数字を付した符号は、フローチャートの各ステップを示している。
【００８６】
まず、検査予約装置２００は、院内ネットワーク７００を介して、病院情報システム１００から仮発行された検査オーダを取得（受信）する（ステップＳＴ００１）。検査予約装置２００は、取得した検査オーダを検査オーダデータベース２５０に格納し、その検査オーダを検査オーダ一覧２５１に記録するとともに、その取得した検査オーダを消費電力算出部２２０に送出する。
【００８７】
検査予約装置２００は、消費電力算出部２２０において、取得した検査オーダを処理する際に予想される検査オーダごとの予想消費電力を算出する（ステップＳＴ００３）。この場合、消費電力算出部２２０は、消費電力データベース２６０に格納されている消費電力算出テーブル２６１を参照し、使用する各装置の消費電力から検査オーダごとの予想消費電力を算出する。また、消費電力算出部２２０は、算出した予想消費電力を消費電力データベース２６０の予想消費電力リスト２６２に記録するとともに、その予想消費電力を検査予約判定部２３０に送出する。
【００８８】
検査予約装置２００は、検査予約判定部２３０において、算出された検査オーダごとの予想消費電力を取得すると、その算出された予想消費電力と、使用可能消費電力リスト２７１に記載された使用可能電力の情報が示す電力とを比較して、その検査オーダを実施することができるだけの電力の供給があるか否かを判定する（ステップＳＴ００５）。
【００８９】
検査予約装置２００は、検査予約判定部２３０において、消費電力算出部２２０で算出された予想消費電力が、使用可能消費電力リスト２７１に記載された使用可能電力の情報が示す電力より小さい場合には（ステップＳＴ００７のＹｅｓ）、算出された予想消費電力に対応する検査オーダを受け付ける確定通知を行う（ステップＳＴ００９）。一方、算出された予想消費電力が、使用可能電力の情報が示す電力以上の場合には、検査予約装置２００は、その検査オーダを受け付けない旨の警告の通知を病院情報システム１００に行う（ステップＳＴ０１１）。
【００９０】
検査予約装置２００は、検査オーダの確定通知（ステップＳＴ００９）または警告の通知（ステップＳＴ０１１）を、院内ネットワーク７００を介して病院情報システム１００の表示部に、通知部２４０によって通知する。また、通知部２４０は、病院情報システム１００に警告の通知を行う場合には（ステップＳＴ０１１）、検査オーダを処理する際に予想された処理項目ごとの予想消費電力を、病院情報システム１００の表示部に表示させる。
【００９１】
検査予約装置２００は、予想される処理項目ごとの消費電力を病院情報システム１００の表示部に表示させることにより、担当医に検査オーダの見直しをさせることができる。この場合、担当医が検査オーダを変更することにより、検査予約装置２００は、病院情報システム１００から検査オーダの変更を受け付ける（ステップＳＴ０１３）。
【００９２】
検査予約装置２００は、この検査オーダの変更を受け付けると（ステップＳＴ０１３）、ステップＳＴ００３に移行して、変更された検査オーダに基づいて、再び予想消費電力の算出（ステップＳＴ００３）以降の処理を実施する。
【００９３】
これにより、検査予約装置２００は、病院内情報管理システム８００に提供される使用可能電力の範囲内で非緊急患者の検査オーダを実施できるように検査オーダの変更を受け付けて、非緊急患者の検査オーダの最適化を図ることができる。
【００９４】
以上説明したように、本実施形態に係る病院内情報管理システム８００は、検査予約装置２００において、病院情報システム１００からの非緊急患者の検査オーダを取得して、その検査オーダを処理する際に予想される予想消費電力を算出する。また、検査予約装置２００は、算出された予想消費電力と、非緊急患者の検査オーダに対する使用可能電力の情報に示された電力とを比較して、その予想消費電力に対応する検査オーダ（非緊急検査オーダ）を確定させるか否かを判定する。そして、検査予約装置２００は、その非緊急検査オーダを確定することができないと判定した場合には、病院情報システム１００に警告の通知を行う。
【００９５】
これにより、本実施形態に係る検査予約装置２００は、使用可能電力の情報が示す電力がひっ迫（不足）していることにより、非緊急患者の検査オーダの処理項目をその検査日時に実施することができない旨を、担当医に認識させることができる。したがって、担当医がその検査オーダを変更することにより、検査予約装置２００は、病院内情報管理システム８００において使用可能な電力の範囲内で検査オーダを確定させることができる。
【００９６】
なお、本実施形態では、検査予約装置２００が、通知部２４０により警告の通知を行い、各装置の予想消費電力を病院情報システム１００に通知していたが（図１１のステップＳＴ０１１）、これに限定されるものではない。例えば、検査予約装置２００は、非緊急患者の検査オーダであることから、所定の消費電力以上の装置の使用を禁止するように設定してもよい。
【００９７】
具体的には、医用画像撮影装置３１０や医用画像撮影装置３２０の消費電力が、医用画像撮影装置３３０や医用画像撮影装置３４０よりも比較的高い場合に、医用画像撮影装置３１０と医用画像撮影装置３２０の使用を禁止し、その代わりに医用画像撮影装置３３０や医用画像撮影装置３４０を、使用する装置の候補とするように設定してもよい。また、予想消費電力が高くなる組み合わせがある場合、例えば、医用画像撮影装置３１０と医用画像受信装置４２０との装置の組み合わせが、他の装置との組み合わせに比べて消費電力が高くなる場合には、その組み合わせの使用を禁止するように設定してもよい。
【００９８】
また、本実施形態に係る検査予約装置２００は、検査予約判定部２３０において、検査オーダの予想消費電力が非緊急患者の検査オーダに対する使用可能電力より小さいか否かを判断するようになっていたが（図１１のステップＳＴ００７）、これに限定されるものではない。例えば、検査予約装置２００は、検査予約判定部２３０での判定を、段階的に行うようにしてよい。
【００９９】
具体的には、検査予約装置２００は、検査予約判定部２３０において、使用可能電力の情報が示す電力よりも非緊急患者の検査オーダの予想消費電力が多少小さいため、その検査オーダを確定することができる状態であったとしても、残りの供給可能な電力が乏しくなる場合には、その検査オーダの一部の処理項目を取り下げる推奨を行うようにしてもよい。
【０１００】
具体的には、「残りの使用可能電力が少ないので医用画像撮影装置３１０による撮影を止めますか？」、「残りの使用可能電力が少ないので医用画像保管装置５１０による画像データの編集を延期しますか？」、または「残りの使用可能電力が少ないので医用画像表示装置６１０による画像データの読影の時間をずらしますか？」などを担当医に通知し、検査オーダの一部の処理項目を取り下げさせることにより、予想消費電力の削減を図ることができ、他の非緊急患者の検査オーダの確定を促進することができる。
【０１０１】
また、本実施形態に係る検査予約装置２００は、電力情報格納部２７０に電力割り当てテーブル２７２を格納し、検査予約判定部２３０がこれに基づく使用可能電力を参照するようになっていたが、本実施形態はこれに限定されるものではない。例えば、電力割り当てテーブル２７２は、病院情報システム１００に設けられた操作入力部から、院内ネットワーク７００を介して急患割合（図９）の変更を、適宜、受け付けるようにしてもよい。
【０１０２】
具体的には、緊急な処置や処理を要する災害や事故などが発生した場合に、直近の検査予約における急患割合を高めることにより、緊急を要する検査オーダの処置に使用可能電力を優先させ、非緊急患者の検査オーダの使用可能電力を低く設定することができる。
【０１０３】
この場合、非緊急患者の検査オーダについては、病院内情報管理システム８００において使用可能電力が単に低く設定されるだけでなく、非緊急患者の検査オーダの検査予約時に、非緊急患者が受けるべき重要な処置を担当医に厳選させることができるので、非緊急患者の最小限必要な処置を適切に判断させることができる。
【０１０４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１０５】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【０１０６】
１００  病院情報システム
２００  検査予約装置
２１０  検査オーダ取得部
２２０  消費電力算出部
２３０  検査予約判定部
２４０  通知部
２５０  検査オーダデータベース
２５１  検査オーダ一覧
２５２  検査装置一覧
２６０  消費電力データベース
２６１  消費電力算出テーブル
２６２  予想消費電力リスト
２７０  電力情報格納部
２７１  使用可能消費電力リスト
２７２  電力割り当てテーブル
２８４  ネットワークインターフェース部
２８５  操作入力部
２８６  表示部
２８７  記憶部
２８８  内部バス
３００，３１０，３２０，３３０，３４０  医用画像撮影装置
４００，４１０，４２０，４３０，４４０  医用画像受信装置
５００，５１０，５２０，５３０，５４０  医用画像保管装置
６００，６１０，６２０，６３０，６４０  医用画像表示装置
７００  院内ネットワーク
８００  病院内情報管理システム
【図１】
2014048908.tif 000003
【図２】
2014048908.tif 000004
【図３】
2014048908.tif 000005
【図４】
2014048908.tif 000006
【図５】
2014048908.tif 000007
【図６】
2014048908.tif 000008
【図７】
2014048908.tif 000009
【図８】
2014048908.tif 000010
【図９】
2014048908.tif 000011
【図１０】
2014048908.tif 000012
【図１１】
2014048908.tif 000013